(57)【要約】【課題】着用者の身体に合わせて好適に着用することができる骨盤サポーターを提供する。【解決手段】弾性部材で形成され、人のウェスト部分近傍に巻き付けられる上ベルト２と、人の臀部近傍に巻き付けられる下ベルト３と、を備え、上ベルト２と下ベルト３の各一端部２ａ，３ａは、重ね合わされて一体に接合されるとともに連結部４に接続され、上ベルト２と下ベルト３の各他端部は、自由端部２ｂ，３ｂとされ、連結部４と各自由端部２ｂ，３ｂに、連結部４と上ベルト２の自由端部２ｂ、および連結部４と下ベルト３の自由端部３ｂを互いに着脱自在に係着する係着手段５が設けられてなる。【選択図】  図１
2005334046.tif 000002
【特許請求の範囲】
【請求項１】
弾性部材で形成され、人のウェスト部分近傍に巻き付けられる上ベルトと、人の臀部近傍に巻き付けられる下ベルトと、を備え、
前記上ベルトと下ベルトの各一端部は、重ね合わされて一体に接合されるとともに連結部に接続され、上ベルトと下ベルトの各他端部は、自由端部とされ、
前記連結部と各自由端部に、連結部と上ベルトの自由端部、および連結部と下ベルトの自由端部を互いに着脱自在に係着する係着手段が設けられていることを特徴とする骨盤サポーター。
【請求項２】
前記上ベルトの一端部と下ベルトの一端部は、上ベルトが下ベルトの斜め上に延びるように接合され、上ベルトの自由端部の下側一隅部は、鋭角に形成されていることを特徴とする請求項１記載の骨盤サポーター。
【発明の詳細な説明】
【技術分野】
【０００１】
本発明は、人の腰部に装着して、骨盤を支持するとともに腰回りを引締める骨盤サポーターに関する。
【背景技術】
【０００２】
従来から、腰痛のための医療用のコルセットや、美しい体型を形成するための美容用のガードルなどが一般的に用いられていた。
【０００３】
しかし、このような医療用コルセットや美容用ガードルなどは、強力な弾性生地で形成されており、血液の循環を阻害したり、装着したまま日常生活をするには、トイレ使用時に着脱が面倒であるなどの問題があった。
【０００４】
そのために、血液循環を阻害させることがなく、トイレ使用時にその都度外す必要のない、弾性ベルトを用いたサポーターが提案されている（例えば、特許文献１，２、３参照。）。
【０００５】
このようなサポーターは、図４に示すように、弾性を有する素材で形成されたベルト９１，９２の両端を重ね合わせて一体化し、この一体化された両端９３，９４に面ファスナーなどの係着手段を設けて着脱自在としたもので構成されている。
【特許文献１】特公平８−２３６２号公報
【特許文献２】特開平１１−５６８８７号公報
【特許文献３】特開２００２−２０９９２１号公報
【発明の開示】
【発明が解決しようとする課題】
【０００６】
しかしながら、上記したサポーターでは、２枚のベルトの両端がそれぞれ一体化されているので、上側のベルトと下側のベルトの長さを個別に調節することができない。そのため、着用者の体型や、着用感に合わせて調節するのが困難である。
【０００７】
また、臀部を下方から持ち上げてサポートするためには、着用時に臀部下部に当たる下側のベルトとその上側に位置する上側のベルト間の間隔を広くするのが望ましいが、上記した従来のサポーターでは、２枚のベルトの両端が一体化されているために、このような広い間隔を開けるのが難しいといった問題点があった。
【０００８】
本発明は、このような事情に鑑み創案されたもので、着用者の身体に合わせて好適に着用することができる骨盤サポーターを提供するものである。
【課題を解決するための手段】
【０００９】
上記の目的を達成するため、本発明に係る骨盤サポーターは、弾性部材で形成され、人のウェスト部分近傍に巻き付けられる上ベルトと、人の臀部近傍に巻き付けられる下ベルトと、を備え、前記上ベルトと下ベルトの各一端部は、重ね合わされて一体に接合されるとともに連結部に接続され、上ベルトと下ベルトの各他端部は、自由端部とされ、
前記連結部と各自由端部に、連結部と上ベルトの自由端部、および連結部と下ベルトの自由端部を互いに着脱自在に係着する係着手段が設けられていることを特徴とする。
【００１０】
この発明によれば、上ベルトと下ベルトが弾性部材で形成されているので、上ベルトにより骨盤サポーターがずれないように着用者のウェスト部分近傍に装着してウェスト部分を押えることができるとともに、下ベルトにより着用者の臀部を下から支えながらヒップ部分を押えることができる。したがって、着用者の腰部を保護しながら、体型を美しく整えることができる。
【００１１】
また、上ベルトと下ベルトの他端部が自由端部とされているので、上ベルトと下ベルトの長さをそれぞれ独立して調節しながら、係着手段により連結部に係着することができる。したがって、着用者の体型や所望の着用感に合わせて好適に着用することができる。
【００１２】
本発明は、上記構成の骨盤サポーターにおいて、前記上ベルトの一端部と下ベルトの一端部は、上ベルトが下ベルトの斜め上に延びるように接合され、上ベルトの自由端部の下側一隅部は、鋭角に形成されていることを特徴とする。
【００１３】
この発明によれば、上ベルトの自由端部の下側一隅部が、鋭角に形成されているので、上ベルトが下ベルトの斜め上に位置するように、上ベルトの自由端部を連結部に係着することができる。一方、上ベルトの一端部は、下ベルトの斜め上に延びるように位置している。したがって、下ベルトと上ベルトとの間隔を広く開けることが可能になり、臀部の引き上げ効果を高めることができる。
【００１４】
なお、本明細書において、骨盤サポーターを着用した場合に、着用者の上半身側に位置する方向を上方向、着用者の下半身側に位置する方向を下方向という。
【発明の効果】
【００１５】
本発明に係る骨盤サポーターによれば、着用者の身体に合わせて好適に着用することができる。
【発明を実施するための最良の形態】
【００１６】
以下、本発明の実施の形態について、図を参照して説明する。
【００１７】
図１、および図２には、本実施形態の骨盤サポーター１の全体が示されている。
【００１８】
この骨盤サポーター１は、人のウェスト部分近傍に巻き付けて装着する上ベルト２と、人の臀部近傍に巻き付けて装着する下ベルト３とから構成されている。
【００１９】
各ベルト２，３は、例えば、ナイロンにポリウレタン弾性繊維を交編した生地で形成されているが、弾性を有するものであれば、素材を限定するものではない。また、下ベルト３は、上ベルト２よりも幅が広く、長さが若干短くなるような寸法に設定されている。
【００２０】
上ベルト２と下ベルト３の各一端部２ａ，３ａは、重ね合わされて一体に接合されるとともに連結部４に接続されている。この場合において、上ベルト２の一端部２ａは、上ベルト２が下ベルト３の斜め上に延びるように下ベルト３の一端部３ａと接合されている。
【００２１】
一方、上ベルト２と下ベルト３の各他端部は、自由端であって、自由端部２ｂ，３ｂとされている。また、上ベルト２の自由端部２ｂの下側一隅部２０は、鋭角に形成されている。この一隅部２０の角度は、およそ７０度前後が好ましい。
【００２２】
なお、下ベルト３の自由端部３ｂの下側一隅部３０も、上ベルト２の一隅部２０よりも大きな角度の鋭角に形成してもよい。
【００２３】
また、上ベルト２と下ベルト３の各自由端部２ｂ，３ｂと、連結部４には、互いに着脱自在に係着するための係着部材５が取り付けられている。
【００２４】
この係着部材５は、本実施の形態では、アイ５ａとフック５ｂが使用されており、連結部４に複数個のアイ５ａが取り付けられ、自由端部２ｂ，３ｂに、このアイ５ａと係着する複数個のフック５ｂが取り付けられている。
【００２５】
ここで、複数個のアイ５ａは、連結部４に複数列に並ぶように取り付けられており、ベルト２，３の長さを調節しながら上ベルト２の自由端部２ｂ、および下ベルト３の自由端部３ｂをそれぞれ係着することができるように図られている。
【００２６】
なお、係着部材５は、上記のアイ５ａとフック５ｂに限らず、例えば面ファスナーや、スナップボタンであってもよい。
【００２７】
次に、上記構成の骨盤サポーター１の使用方法を、図３を参照しながら説明する。
【００２８】
使用者は、まず、骨盤サポーター１の連結部４と自由端部２ｂ、３ｂとを両手で持って、骨盤サポーター１を広げ、腰部に当てる（図３（ａ）参照）。
【００２９】
次いで、下ベルト３を、下から臀部をサポートするように当てながら巻き付けて、アイ５ａとフック５ｂとを係着して、自由端部３ｂを連結部４に止める（図３（ｂ）参照）。
【００３０】
続いて、上ベルト２をウェスト部分近傍に巻き付けながら、アイ５ａとフック５ｂとを係着して、自由端部２ｂを連結部４に止める（図３（ｃ）参照）。
【００３１】
このとき、上ベルト２の一端部２ａが、下ベルト３の斜め上に延びるように下ベルト３の一端部３ａと接合されているとともに、上ベルト２の一隅部２０が鋭角に形成されているので、図３（ｃ）に示すように、上ベルト２は連結部４から下ベルト３の斜め上に延びるように位置している。したがって、背面から見ると図３（ｄ）に示すように、上ベルト２と下ベルト３との間隔を広く開けた状態で止めることができ、臀部を下方から支えて引き上げる効果を高めることができる。
【００３２】
このように、骨盤サポーター１によれば、着用者の身体に合わせて好適に着用することができるとともに、臀部の引き上げ効果を高めることができる。
【００３３】
以上、本発明の骨盤サポーター１について、主として女性が腰部を保護したり、体型を美しく整えるために使用する方法について説明したが、本発明は、上記のような使い方に限定されるものではなく、ベルト２，３のサイズを大きく形成すれば、男性用のサポーターとしても使用することができる。男性用とした場合、例えば、ゴルフなどのスポーツをする際に着用することで、腰部を好適に保護することができる。
【産業上の利用可能性】
【００３４】
本発明は、着用者の身体に合わせて好適に着用することができる骨盤サポーターに適用できる。
【図面の簡単な説明】
【００３５】
【図１】本発明に係る骨盤サポーターの全体を示す平面図である。
【図２】図１の骨盤サポーターを示す斜視図である。
【図３】図１の骨盤サポーターの装着方法を説明する図である。
【図４】従来のサポーターを示す斜視図である。
【符号の説明】
【００３６】
１      骨盤サポーター
２      上ベルト
３      下ベルト
４      連結部
５      係着部材（係着手段）
【図１】
2005334046.tif 000003
【図２】
2005334046.tif 000004
【図３】
2005334046.tif 000005
【図４】
2005334046.tif 000006